【手続補正書】
【提出日】平成16年8月31日(2004.8.31)
【手続補正１】
【補正対象書類名】明細書
【補正対象項目名】発明の名称
【補正方法】変更
【補正の内容】
【発明の名称】超高速浮上分離方法及び装置
【手続補正２】
【補正対象書類名】明細書
【補正対象項目名】特許請求の範囲
【補正方法】変更
【補正の内容】
【特許請求の範囲】
【請求項１】
凝集攪拌槽で凝集除去対象物質を含む水に、浮上性粒子及び少なくとも有機性高分子凝集剤を添加して、前記水中の凝集除去対象物質を該浮上性粒子に付着させる凝集攪拌工程；該凝集攪拌工程の凝集除去対象物質が付着した浮上性粒子を含む流出水を浮上分離槽に導入して前記凝集除去対象物質付着浮上性粒子を浮上分離し、処理水を排出する浮上分離工程と；該浮上分離工程からの浮上分離物をフロック剥離槽で攪拌して浮上分離物から凝集除去対象物質を含むフロックを剥離するフロック剥離工程と；排出槽に該フロック剥離工程からの浮上性粒子と該剥離フロックを含む水を流量Ｒで導入し、凝集除去対象物質を含む水又は処理水の一部を流量Ｑで供給し、上部の浮上性粒子を含む液を平均流量（Ｒ＋Ｑ−ｑ）でポンプアップし、前記凝集攪拌槽に循環させ、かつ該剥離フロックを含む汚泥を流量ｑで排水する排出分離工程とを有することを特徴とする超高速浮上性分離方法。
【請求項２】
前記フロック剥離槽と排出槽の水位が、浮上分離槽の水位と等しく、該槽間の浮上物の移送が、前記排出槽におけるのポンプの吸引手段によるものであることを特徴とする請求項１記載の超高速浮上分離方法。
【請求項３】
前記浮上分離工程に、浮上分離物の一部を前記凝集攪拌工程に返送するリサイクル手段を備えたことを特徴とする請求項１又は請求項２記載の超高速浮上分離方法。
【請求項４】
（ａ）凝集除去対象物質を含む水に、浮上性粒子及び少なくとも有機性高分子凝集剤を添加して、前記水中の凝集除去対象物質を該浮上性粒子に付着させる凝集攪拌槽と；（ｂ）該凝集攪拌槽の凝集除去対象物質が付着した浮上性粒子を含む流出水を導入して前記凝集除去対象物質付着浮上性粒子を浮上分離し、処理水を排出する浮上分離槽と；（ｃ）該浮上分離槽からの浮上分離物を攪拌して浮上分離物から凝集除去対象物質を含むフロックを剥離するフロック剥離槽と；（ｄ）浮上性粒子と該剥離フロックを含む水を導入し、浮上性粒子と該剥離フロックを分離排出する排出槽；（ｅ）該排出槽に浮上性粒子と該剥離フロックを含む水を流量Ｒで移送する手段；（ｆ）該排出槽に凝集除去対象物質を含む水又は処理水の一部を流量Ｑで供給し、該剥離フロック等を含む汚泥を排出槽から流量ｑで排水する手段と；（ｇ）該排出槽上部の浮上性粒子を含む液を平均流量（Ｒ＋Ｑ−ｑ）でポンプアップし、前記凝集攪拌槽に循環させる手段を設けたことを特徴とする超高速浮上性分離装置。
【請求項５】
前記フロック剥離槽と排出槽の水位が、浮上分離槽の水位と等しく、該槽間の浮上物の移送が、前記（ｇ）のポンプの吸引手段によるものであることを特徴とする請求項４記載の超高速浮上分離装置。
【請求項６】
前記浮上分離槽に、浮上分離物の一部を前記凝集攪拌槽に返送するリサイクル手段を備えたことを特徴とする請求項４又は請求項５記載の超高速浮上分離装置。
【手続補正３】
【補正対象書類名】明細書
【補正対象項目名】０００５
【補正方法】変更
【補正の内容】
【０００５】
【課題を解決するための手段】
本発明は、下記の手段により上記の課題を解決した。
（１）凝集攪拌槽で凝集除去対象物質を含む水に、浮上性粒子及び少なくとも有機性高分子凝集剤を添加して、前記水中の凝集除去対象物質を該浮上性粒子に付着させる凝集攪拌工程；該凝集攪拌工程の凝集除去対象物質が付着した浮上性粒子を含む流出水を浮上分離槽に導入して前記凝集除去対象物質付着浮上性粒子を浮上分離し、処理水を排出する浮上分離工程と；該浮上分離工程からの浮上分離物をフロック剥離槽で攪拌して浮上分離物から凝集除去対象物質を含むフロックを剥離するフロック剥離工程と；排出槽に該フロック剥離工程からの浮上性粒子と該剥離フロックを含む水を流量Ｒで導入し、凝集除去対象物質を含む水又は処理水の一部を流量Ｑで供給し、上部の浮上性粒子を含む液を平均流量（Ｒ＋Ｑ−ｑ）でポンプアップし、前記凝集攪拌槽に循環させ、かつ該剥離フロックを含む汚泥を流量ｑで排水する排出分離工程とを有することを特徴とする超高速浮上性分離方法。
（２）前記フロック剥離槽と排出槽の水位が、浮上分離槽の水位と等しく、該槽間の浮上物の移送が、前記排出槽におけるのポンプの吸引手段によるものであることを特徴とする前記（１）記載の超高速浮上分離方法。
（３）前記浮上分離工程に、浮上分離物の一部を前記凝集攪拌工程に返送するリサイクル手段を備えたことを特徴とする前記（１）又は（２）記載の超高速浮上分離方法。
（４）（ａ）凝集除去対象物質を含む水に、浮上性粒子及び少なくとも有機性高分子凝集剤を添加して、前記水中の凝集除去対象物質を該浮上性粒子に付着させる凝集攪拌槽と；（ｂ）該凝集攪拌槽の凝集除去対象物質が付着した浮上性粒子を含む流出水を導入して前記凝集除去対象物質付着浮上性粒子を浮上分離し、処理水を排出する浮上分離槽と；（ｃ）該浮上分離槽からの浮上分離物を攪拌して浮上分離物から凝集除去対象物質を含むフロックを剥離するフロック剥離槽と；（ｄ）浮上性粒子と該剥離フロックを含む水を導入し、浮上性粒子と該剥離フロックを分離排出する排出槽；（ｅ）該排出槽に浮上性粒子と該剥離フロックを含む水を流量Ｒで移送する手段；（ｆ）該排出槽に凝集除去対象物質を含む水又は処理水の一部を流量Ｑで供給し、該剥離フロック等を含む汚泥を排出槽から流量ｑで排水する手段と；（ｇ）該排出槽上部の浮上性粒子を含む液を平均流量（Ｒ＋Ｑ−ｑ）でポンプアップし、前記凝集攪拌槽に循環させる手段を設けたことを特徴とする超高速浮上性分離装置。
（５）前記フロック剥離槽と排出槽の水位が、浮上分離槽の水位と等しく、該槽間の浮上物の移送が、前記（ｇ）のポンプの吸引手段によるものであることを特徴とする前記（４）記載の超高速浮上分離装置。
（６）前記浮上分離槽に、浮上分離物の一部を前記凝集攪拌槽に返送するリサイクル手段を備えたことを特徴とする前記（４）又は（５）記載の超高速浮上分離装置。
【手続補正４】
【補正対象書類名】明細書
【補正対象項目名】０００６
【補正方法】変更
【補正の内容】
【０００６】
本発明の骨子は、比重が非常に小さい「浮上性粒子」を従来の浮上分離法における気泡の代わりに用い、原水に浮上性粒子を添加して攪拌分散させながら、さらにこの混合・分散状態の原水に有機高分子凝集剤又は無機凝集剤と有機高分子凝集剤を添加して急速攪拌を続けると、１０〜３０秒程度後に、原水中の凝集除去対象物質の凝集フロックが、浮上性粒子に付着した状態のものが速やかに形成され、その後浮上分離部に流入させると、文字通り除去対象物質が付着した浮上性分離物が瞬間的に浮上分離することを見出した技術思想を基礎とするものであり、さらに、より具体的には、除去対象物質が付着した浮上分離物から浮上性粒子を簡易な方法で分離再生させることを可能とした方法及び装置にある。
【手続補正５】
【補正対象書類名】明細書
【補正対象項目名】００１５
【補正方法】変更
【補正の内容】
【００１５】
浮上分離槽７で分離された、フロック付着浮上性微粒子からなる浮上分離物８はフロック剥離槽１０に流入する。浮上分離物８の流入量は処理水９同様、剥離フロック引き抜き水量と浮上性微粒子返送量によって決まり、これをＲとする。フロック剥離槽１０では、フロック付着浮上性微粒子を激しくインペラのような攪拌機１１で攪拌し、フロックから除去対象物質を剥離する。
【手続補正６】
【補正対象書類名】明細書
【補正対象項目名】００１６
【補正方法】変更
【補正の内容】
【００１６】
浮上性微粒子と剥離フロックを含む液１２は排出槽１３に送られる。その流量はＲである。排出槽１３の底部では、流量ｑで剥離フロックを含んだ廃水（汚泥）１６を排水する。また、排出槽１３には原水（或いは処理水）の一部１４を流量Ｑで供給する。浮上性微粒子を含む液はエアリフトポンプ１８によりエアリフト管１７を経て平均流量（Ｒ＋Ｑ−ｑ）で、反応槽２或いは凝集槽５に返送する。エアリフト管１７内の液流速は主に、吹き込み空気量と浸水深さ、揚程で決まる。浮上性微粒子の取り口を排出槽１３上部に、エアリフト管１７をＵ字型にして浸水深さを深くすると、吹き込み空気量を少なくすることができ経済的である。エアリフト管１７内の液の下向流速は少なくとも浮上性微粒子の上昇流速よりも大きくなるようにする。